(57)【要約】【課題】部品点数が少なく、全体が嵩の小さい簡単な構成のもので、しかも、壁部材から外れるおそれが少ない壁取り付け椅子を提供する。【解決手段】椅子本体２と、取付部材３、６と、取付部材を壁部材に固定する固定部材７、８、１１、１２とを備えている。取付部材は、椅子本体２を保持する保持部材３と、保持部材３と壁部材１００との間に配設される金属製板状体からなる取付基板６とを備える。固定部材７、８、１１、１２は、保持部材３と取付基板６とを壁部材１００に固定する。【選択図】図１
0003203041.tif 000002
【実用新案登録請求の範囲】
【請求項１】
椅子本体と、前記椅子本体を壁部材に取り付けるための取付部材と、前記取付部材を前記壁部材に固定する固定部材とを備えた壁取り付け椅子であって、
前記取付部材は、前記椅子本体を保持する保持部材と、前記保持部材と前記壁部材との間に配設される金属製板状体からなる取付基板とを備え、
前記固定部材は、前記保持部材と前記取付基板とを前記壁部材に固定することを特徴とする壁取り付け椅子。
【請求項２】
前記椅子本体は、着座者が座る座面を有する座板を備え、
前記取付基板は、前記壁部材と対向して前記壁部材に取り付けられる壁取付面を備え、
前記壁取付面は、前記壁取付面の面積が前記座面の面積よりも大きくなるように形成されていることを特徴とする請求項１記載の壁取り付け椅子。
【請求項３】
前記壁部材は、間柱に保持された石膏ボードからなり、
前記取付基板は、前記間柱に前記取付基板を支持するための支持ボルトが挿通する支持ボルト挿通孔を備え、
前記支持ボルト挿通孔は、前記間柱の長手方向と交差する方向に延された長孔からなることを特徴とする請求項１又は２記載の壁取り付け椅子。
【請求項４】
前記支持ボルト挿通孔は、前記間柱の長手方向と略直交する方向に延された長孔であることを特徴とする請求項３に記載の壁取り付け椅子。
【請求項５】
前記固定部材は、前記取付基板を前記壁部材に固定する軸状の第１基板固定部材を備え、
前記第１基板固定部材は、前記第１基板固定部材の基端側に、前記第１基板固定部材の周方向に沿って形成された複数の回り止め用突片を有する回り止め部を備え、
前記各回り止め用突片は、前記第１基板固定部材の外周から径方向外側に突設され、
前記取付基板は、前記回り止め部が前記第１基板固定部材の軸心回りに回らないように前記回り止め部を保持する回り止め保持用孔を備え、
前記回り止め保持用孔は、断面角形状に形成されていることを特徴とする請求項１〜４の何れか一項に記載の壁取り付け椅子。
【請求項６】
前記固定部材は、前記第１基板固定部材と連結される軸状の第２基板固定部材を備え、
前記第１基板固定部材は、前記取付基板から前記壁部材に打ち込まれる軸状の第１基板固定部材本体と、前記第１基板固定部材本体の先端側に、前記壁部材を貫通して前記壁部材から前記第１基板固定部材本体が抜けないようにするための軸状の抜け止め軸とを備え、
前記第１基板固定部材本体は、前記第２基板固定部材を受容する第２基板固定部材受容孔を備え、
前記抜け止め軸は、当該抜け止め軸の軸方向が前記第１基板固定部材本体の軸方向と略同方向を向いた軸同方向位置から前記第１基板固定部材本体の軸方向と略直交する方向を向いた軸直交方向位置までの範囲、回動可能に、且つ、前記第１基板固定部材本体の軸方向に移動可能に、前記第１基板固定部材本体に保持され、
前記第２基板固定部材は、前記第２基板固定部材受容孔に受容される際に当該第２基板固定部材が前記抜け止め軸を前記軸同方向位置から前記軸直交方向位置に回動操作するとともに、前記回動操作した前記抜け止め軸に螺合されることを特徴とする請求項５に記載の壁取り付け椅子。
【請求項７】
前記取付基板は、前記壁部材と対向して前記壁部材に取り付けられる壁取付面を備え、
前記取付基板における前記壁取付面と反対側の表面を被覆する被覆部材を、更に備えていることを特徴とする請求項１〜６の何れか一項に記載の壁取り付け椅子。
【考案の詳細な説明】
【技術分野】
【０００１】
本考案は、玄関等の壁部材に取り付けられて使用される壁取り付け椅子に関するものである。
【背景技術】
【０００２】
玄関等の壁部材に取り付けられて使用される壁取り付け椅子は、従来から広く知られており、例えば特許文献１に壁収納式折り畳み椅子が開示されている。この特許文献１に開示された壁収納式折り畳み椅子は、座板と床支持板とを有する椅子本体と、椅子本体を保持して壁部材に取り付ける木枠からなる取付部材と、取付部材を壁部材に固定する釘やビス等の固定部材とを備え、固定部材で壁部材に取り付けられた取付部材に、座板の一端が回動自在に保持され、座板の他端に、床支持板が回動自在に連結されたものである。そして、使用しない場合は、座板と床支持板とを折り畳んだ状態にして取付部材内に収納する。一方、使用する場合は、座板を壁面と直角になった状態に回動操作するとともに、床支持板を座板に対して直角になった状態に回動操作して床支持板の下端を床面に載置した状態にする。これにより、座板が床支持板で下方から支持され、着座者が座板上に座ることができる。
【先行技術文献】
【特許文献】
【０００３】
【特許文献１】特開２００５−１２５０５７号公報
【考案の概要】
【考案が解決しようとする課題】
【０００４】
しかしながら、特許文献１では、床支持板を設けているため、部品点数が多くなり、しかも、全体が嵩高いものになってしまっている。
【０００５】
また、その場合に、床支持板を設けないようにすることが考えられ、これにより、全体が嵩の小さい簡素化したものにできる。ところが、床支持板を設けない場合には、着座者が座板に着座した際に座板にかかる荷重の全部が座板から取付部材にかかり、取付部材が壁部材から外れるおそれがあり、その結果、椅子本体が壁部材から外れるおそれがある。特に、壁部材が石膏ボードのような強度の小さいものから構成されている場合には、椅子本体が壁部材から外れるおそれが高くなる。
【０００６】
本考案は、上記の事情に鑑みてなされたものであり、部品点数が少なく、全体が嵩の小さい簡素化したもので、しかも、壁部材から外れるおそれが少ない壁取り付け椅子を提供することを目的とする。
【課題を解決するための手段】
【０００７】
上記課題を解決するために、本考案は、椅子本体と、前記椅子本体を壁部材に取り付けるための取付部材と、前記取付部材を前記壁部材に固定する固定部材とを備えた壁取り付け椅子であって、前記取付部材は、前記椅子本体を保持する保持部材と、前記保持部材と前記壁部材との間に配設される金属製板状体からなる取付基板とを備え、前記固定部材は、前記保持部材と前記取付基板とを前記壁部材に固定することを特徴とする壁取り付け椅子を提供する。
【０００８】
これによれば、取付部材は、椅子本体を保持する保持部材と金属製板状体からなる取付基板とを備えているため、椅子本体から保持部材にかかる荷重を取付基板の全面で壁部材にかけることができ、取付基板が壁部材から外れ難いものにできる。従って、例えば座板を床面に支持する床支持板を設けなくても椅子本体を壁部材から外れ難いものにでき、全体を嵩の小さい簡素化したものにできる。
【０００９】
前記椅子本体は、着座者が座る座面を有する座板を備え、前記取付基板は、前記壁部材と対向して前記壁部材に取り付けられる壁取付面を備え、前記壁取付面は、前記壁取付面の面積が前記座面の面積よりも大きくなるように形成されている構成にできる。
【００１０】
これによれば、着座者の全体重が座板から保持部材を介して取付基板にかかった場合でも、取付基板が壁部材から、より外れ難いものにできる。
【００１１】
前記壁部材は、間柱に保持された石膏ボードからなり、前記取付基板は、前記間柱に前記取付基板を支持するための支持ボルトが挿通する支持ボルト挿通孔を備え、前記支持ボルト挿通孔は、前記間柱の長手方向と交差する方向に延された長孔からなる構成にできる。
【００１２】
これによれば、取付基板を壁部材に取り付ける際に、例えば支持ボルトで、石膏ボードに較べて強度の大きい間柱に取付基板を仮に支持できる。従って、金属製板状体からなる取付基板を手で持ちながら壁部材に取り付ける作業を行わずに済み、取付基板を壁部材に取り付ける作業を容易なものにできる。
【００１３】
また、取付基板を壁部材に取り付けた後は、取付基板にかかる荷重が支持ボルトを介して間柱にかかり、取付基板が、より一層確実に、壁部材から外れ難いものになる。
【００１４】
前記支持ボルト挿通孔は、前記間柱の長手方向と略直交する方向に延された長孔である構成にできる。
【００１５】
これによれば、間柱に仮に支持した支持ボルトを支持ボルト挿通孔に対して移動させることで、取付基板を間柱の位置に拘束されずに壁部材の適宜な位置に配置できる。
【００１６】
前記固定部材は、前記取付基板を前記壁部材に固定する軸状の第１基板固定部材を備え、前記第１基板固定部材は、前記第１基板固定部材の基端側に、前記第１基板固定部材の周方向に沿って形成された複数の回り止め用突片を有する回り止め部を備え、前記各回り止め用突片は、前記第１基板固定部材の外周から径方向外側に突設され、前記取付基板は、前記回り止め部が前記第１基板固定部材の軸心回りに回らないように前記回り止め部を保持する回り止め保持部を備え、前記回り止め保持部は、断面角形状に形成されている構成にできる。
【００１７】
これによれば、回り止め保持部は角形状に形成されているため、前記回り止め部を回動不能に保持する回り止め保持部を容易に形成できる。
【００１８】
前記固定部材は、前記第１基板固定部材と連結される軸状の第２基板固定部材を備え、前記第１基板固定部材は、前記取付基板から前記壁部材に打ち込まれる軸状の第１基板固定部材本体と、前記第１基板固定部材本体の先端側に、前記壁部材を貫通して前記壁部材から前記第１基板固定部材が抜けないようにするための軸状の抜け止め軸とを備え、前記第１基板固定部材本体は、前記第２基板固定部材を受容する第２基板固定部材受容孔を備え、前記抜け止め軸は、当該抜け止め軸の軸方向が前記第１基板固定部材本体の軸方向と略同方向を向いた軸同方向位置から前記第１基板固定部材本体の軸方向と略直交する方向を向いた軸直交方向位置までの範囲、回動可能に、且つ、前記第１基板固定部材本体の軸方向に移動可能に、前記第１基板固定部材本体に保持され、前記第２基板固定部材は、前記第２基板固定部材受容孔に受容される際に当該第２基板固定部材が前記抜け止め軸を前記軸同方向位置から前記軸直交方向位置に回動操作するとともに、前記回動操作した前記抜け止め軸に螺合される構成にできる。
【００１９】
これによれば、第２基板固定部材が第２基板固定部材受容孔に受容される際に抜け止め軸を軸同方向位置から軸直交方向位置に回動操作するため、壁部材の裏側に貫通された抜け止め軸の回動操作を取付基板側の、壁部材の表面側から容易に行うことができる。又、第２基板固定部材が、第２固定部材受容孔に受容される際に回動操作した抜け止め軸に螺合されるため、第２基板固定部材がその第２基板固定部材の軸心回りに回動操作されることで、螺合した抜け止め軸を第１基板固定部材本体の軸方向に移動させ壁部材の裏面に引き寄せることができ、抜け止め軸を壁部材の裏面に押し当てることができる。これにより、第１基板固定部材本体を壁部材から抜け止めでき、取付基板を確実に壁部材に固定できる。
【００２０】
前記取付基板は、前記壁部材と対向して前記壁部材に取り付けられる壁取付面を備え、前記取付基板における前記壁取付面と反対側の表面を被覆する被覆部材を、更に備えている構成にできる。
【００２１】
これによれば、金属製板状体からなる取付基板の表面を被覆部材で被覆でき、外観的に優れたものにできる。
【考案の効果】
【００２２】
本考案の壁取り付け椅子は、部品点数が少なく、全体が嵩の小さい簡素化したもので、しかも、壁部材から外れるおそれが少ない。
【図面の簡単な説明】
【００２３】
【図１】本考案の一実施の形態に係る壁取り付け椅子の分解斜視図である。
【図２】図１の壁取り付け椅子における椅子本体と取付部材の保持部材との分解斜視図である。
【図３】図１の壁取り付け椅子の正面図である。
【図４】図１の壁取り付け椅子の一部を省略した側面図である。
【図５】図３のＶ−Ｖ線に沿う一部を省略した断面図である。
【図６】図１の壁取り付け椅子の取付基板の正面図である。
【図７】固定部材における第１基板固定部材及び第２基板固定部材の分解斜視図である。
【図８】第２基板固定部材を第１基板固定部材に連結する際の説明図である。
【図９】第２基板固定部材を第１基板固定部材に連結した状態における第２基板固定部材と第１基板固定部材の抜け止め軸との位置関係を表した説明図である。
【考案を実施するための形態】
【００２４】
以下、本考案の好ましい実施形態について図面を参照して説明する。図１は、本考案の一実施の形態に係る壁取り付け椅子の分解斜視図、図２は、図１の壁取り付け椅子における椅子本体と取付部材の保持部材との分解斜視図、図３は、図１の壁取り付け椅子の正面図、図４は、図１の壁取り付け椅子の一部を省略した側面図である。
【００２５】
本実施形態の壁取り付け椅子１は、例えば間柱１０１（図１中に２点鎖線で示す）に保持された石膏ボードからなる壁部材１００（図１中に１点鎖線で示す）に取り付けられて使用されるもので、壁取り付け椅子１は、椅子本体２と、椅子本体２を壁部材１００に取り付けるための取付部材３、６と、取付部材３、６を壁部材１００に固定する固定部材７、８、１１、１２と、被覆部材９とを備えている。
【００２６】
椅子本体２は、図１、図２に示すように座板２１と、座板２１を保持した座板保持部材２２とを備えている。座板２１は、略矩形状を呈し、厚さ方向の一方面に、着座者が座る座面２１１を備えている。
【００２７】
又、座板２１の一方端部に、座板保持部材２２に保持される被保持部２１２が形成されている。被保持部２１２は、この実施形態では、座板２１の一方端部の幅を座板２１の他の部分の幅よりも小さく形成されている。
【００２８】
また、被保持部２１２は、座板２１と座板保持部材２２とを回動自在に連結する回動軸２３が嵌挿される断面六角形状の第１回動軸嵌挿孔２１２ａを備えている。
【００２９】
詳しくは、この実施形態の回動軸２３は、六角柱状の座板嵌挿軸部２３１と、座板嵌挿軸部２３１よりも小さい六角柱状の座板保持部材嵌挿軸部２３２とを備えている。座板保持部材嵌挿軸部２３２は、座板嵌挿軸部２３１の軸方向の一方側に、座板嵌挿軸部２３１に対して回動自在に連結されている。
【００３０】
そして、被保持部２１２の第１回動軸嵌挿孔２１２ａに、回動軸２３の座板嵌挿軸部２３１が嵌挿されている。
【００３１】
座板保持部材２２は、側部と天部２２２と底部２２３とを備えている。側部は、板状の後側部２２４と、後側部２２４の両側それぞれに配置された一対の左側部２２５及び右側部２２６とを備えている。
【００３２】
後側部２２４は、後述の本体固定ボルト１１を挿通する本体固定ボルト挿通孔２２４ａを備えている。この実施形態では、本体固定ボルト挿通孔２２４ａは、５つから構成されている（図２では、４つが表されている）。
【００３３】
左側部２２５と右側部２２６とは、互いに対向するように、且つ、その間に座板２１の被保持部２１２が入り得る程度の間隔を持って配置されている。
【００３４】
左側部２２５と右側部２２６とのそれぞれの前部側には、回動軸２３の座板保持部材嵌挿軸部２３２が回動不能に嵌挿される断面６角形状の第２回動軸嵌挿孔２２７ａが形成されている。そして、この第２回動軸嵌挿孔２２７ａに、回動軸２３の座板保持部材嵌挿軸部２３２が嵌挿されることにより、座板２１が回動軸２３を介して座板保持部材２２に回動可能に保持されている。尚、座板保持部材２２に対する座板２１の回動については更に後述する。
【００３５】
天部２２２は、図５に示すように、後述の取付部材の保持部材３の上受け部３１１に当接する上当接部２２２ａを備えている。
【００３６】
底部２２３は、図５に示すように、天部２２２よりも前後の長さが長く、後述の保持部材３の下受け部３２１に当接する下当接部２２３ａを備えている。
【００３７】
取付部材は、図１に示すように椅子本体２を保持する保持部材３と、保持部材３と壁部材１００との間に配置され、保持部材３を壁部材１００に取り付ける取付基板６とを備えている。
【００３８】
保持部材３は、前面が開放された直方体形状の箱体から構成されており、上板３１、下板３２、後板３３、左側板３４、及び右側板３５を備えている。そして、これらの上板３１と下板３２と後板３３と左側板３４と右側板３５とによって、椅子本体２の座板保持部材２２の後部側を収納する収納部３０が形成されている。
【００３９】
上板３１は、前端面に、椅子本体２の上当接部２２２ａを受ける上受け部３１１を備えている。又、下板３２は、前端面に、椅子本体２の下当接部２２３ａを受ける下受け部３２１を備えている（図５参照）。
【００４０】
後板３３は、保持部材固定ボルト挿通孔３３１ａ、３３１ｂと、本体固定ボルト挿通孔３３２とを備えている。
【００４１】
保持部材固定ボルト挿通孔は、後述の保持部材固定ボルト１２を挿通させるためのもので、この実施形態では、中央部に形成された中央保持部材固定ボルト挿通孔３３１ａと、左右の両側部に形成された側保持部材固定ボルト挿通孔３３１ｂとの３つからなる。この実施形態では、中央保持部材固定ボルト挿通孔３３１ａは、上下方向に延された長孔から構成されており、側保持部材固定ボルト挿通孔３３１ｂは、左右方向に延された長孔から構成されている。
【００４２】
本体固定ボルト挿通孔３３２は、後述の本体固定ボルト１１を挿通させるためのもので、この実施形態では、中央保持部材固定ボルト挿通孔３３１ａの上部側に形成された１つと、中央保持部材固定ボルト挿通孔３３１ａの左側部に形成された２つと、中央保持部材固定ボルト挿通孔３３１ａの右側部に形成された２つとの、合計５つからなる。
【００４３】
取付基板６は、金属製板状体からなり、図４、図５に示すように、取付基板６の後面に壁部材１００と対向して壁部材１００に取り付けられる壁取付面６５を備えている。この実施形態では、取付基板６の後面の全体が壁取付面６５をなしている。
【００４４】
また、この実施形態では、取付基板６は、壁取付面６５の面積が座板２１の座面２１１の面積よりも大きい矩形状のものから構成されている。
【００４５】
この取付基板６は、図６に示すように、回り止め保持用孔６１と、支持ボルト挿通孔６２と、保持部材固定ボルト用ネジ孔６３と、本体固定ボルト用ネジ孔６４とを備えている。
【００４６】
回り止め保持用孔６１は、後述の固定部材の第１基板固定部材７の回り止め部７１１を保持するためのもので、この実施形態では、回り止め保持用孔６１は、左右両側それぞれに形成された４つと、中央部側に形成された４つとの合計１２個から構成されている。
【００４７】
各回り止め保持用孔６１は、正面視で角形状のものからなる。この実施形態では、各回り止め保持用孔６１は、正面視で正方形状に形成されている。
【００４８】
支持ボルト挿通孔６２は、壁部材１００を保持した間柱１０１に取付基板６を支持するための支持ボルト９３を挿通するためのもので、間柱１０１の長手方向と交差する方向に延された長孔からなる。この実施形態では、支持ボルト挿通孔６２は、間柱１０１の長手方向と略直交する方向である左右方向に４６０ｍｍの長さで延された長孔からなる。
【００４９】
保持部材固定ボルト用ネジ孔６３は、保持部材３の保持部材固定ボルト挿通孔３３１ａ、３３１ｂと同数からなる。各保持部材固定ボルト用ネジ孔６３は、保持部材固定ボルト１２と螺合する雌ネジを有する。
【００５０】
本体固定ボルト用ネジ孔６４は、保持部材３の本体固定ボルト挿通孔３３２と同数からなる。各本体固定ボルト用ネジ孔６４は、本体固定ボルト１１と螺合する雌ネジを有する。
【００５１】
固定部材は、図１、図７、図８に示すように、取付基板６を壁部材１００に固定する軸状の第１基板固定部材７と、第１基板固定部材７と連結される軸状の第２基板固定部材８と、椅子本体２と保持部材３と取付基板６とを固定する本体固定ボルト１１と、保持部材３と取付基板６とを固定する保持部材固定ボルト１２とを備えている。
【００５２】
第１基板固定部材７は、図４、図５に示すように、取付基板６から壁部材１００に打ち込まれる軸状の第１基板固定部材本体７１と、第１基板固定部材本体７１の先端側に、壁部材１００を貫通して壁部材１００から第１基板固定部材本体７１が抜けないようにするための軸状の抜け止め軸７２とを備えている。
【００５３】
第１基板固定部材本体７１は、基端側における外周側に、第１基板固定部材本体７１が取付基板６及び壁部材１００に対して第１基板固定部材本体７１の軸心回りに回らないようにするための回り止め部７１１を備えている。
【００５４】
回り止め部７１１は、第１基板固定部材本体７１の周方向に沿って等間隔に形成された複数（この実施形態では４つ）の回り止め用突片７１１ａを有する。各回り止め用突片７１１ａは、第１基板固定部材本体７１の外周から径方向外側に突設されている。
【００５５】
また、第１基板固定部材本体７１は、回り止め部７１１の径方向内側に、第２基板固定部材８を受容する第２基板固定部材受容孔７１２を備えている。
【００５６】
抜け止め軸７２は、先端側に、壁部材１００に孔を明けるためのドリル７２１を備え、基端側に、第２基板固定部材８に押圧される被押圧部７２２と、第２基板固定部材８に螺合される螺合孔７２３とを備えている。
【００５７】
被押圧部７２２は、抜け止め軸７２の基端面に、抜け止め軸７２の軸方向に対して傾斜した傾斜面に形成されている。
【００５８】
螺合孔７２３は、この実施形態では、後述の第２基板固定部材８の雄ネジ部８１が入り込むとともに、入り込んだ雄ネジ部８１の回転によって内周に雌ネジが刻設され得るように形成されている。
【００５９】
そして、この抜け止め軸７２は、当該抜け止め軸７２の軸方向が第１基板固定部材本体７１の軸方向と略同方向を向いた図８に示す軸同方向位置から第１基板固定部材本体７１の軸方向と略直交する方向を向いた図９に示す軸直交方向位置までの範囲を回動可能に、且つ、第１基板固定部材本体７１の軸方向に移動可能で、第１基板固定部材本体７１の周方向に回動不能に、第１基板固定部材本体７１における第２基板固定部材受容孔７１２の先端側に保持されている。
【００６０】
第２基板固定部材８は、外周に雄ネジ部８１を有するボルト部材からなる。そして、この第２基板固定部材８は、第２基板固定部材受容孔７１２に受容される際に抜け止め軸７２を上記の軸同方向位置から軸直交方向位置に回動操作するとともに、回動操作した抜け止め軸７２に螺合され、これにより、第１基板固定部材７の抜け止め軸７２と連結される。又、第２基板固定部材８が軸心回りに回転することで、螺合された抜け止め軸７２が第２基板固定部材８（第１基板固定部材本体７１）の軸方向に沿って移動する。
【００６１】
本体固定ボルト１１は、図１、図２に示すように、外周に雄ネジを有するボルトからなる。この本体固定ボルト１１は、座板保持部材２２の本体固定ボルト挿通孔２２４ａから、保持部材３の本体固定ボルト挿通孔３３２に挿通され、更にその本体固定ボルト挿通孔３３２から挿通された本体固定ボルト１１の先端部が取付基板６の本体固定ボルト用ネジ孔６４に螺合される。これにより、椅子本体２が、保持部材３及び取付基板６を介して壁部材１００に固定される。
【００６２】
保持部材固定ボルト１２は、図１、図２に示すように、本体固定ボルト１１と同様に、外周に雄ネジを有するボルトからなる。この保持部材固定ボルト１２は、保持部材３の保持部材固定ボルト挿通孔３３１ａ、３３１ｂに挿通されて取付基板６の保持部材固定ボルト用ネジ孔６３に螺合される。これにより、保持部材３が取付基板６に固定される。
【００６３】
次に、被覆部材９について説明する。被覆部材９は、取付基板６における壁取付面６５と反対側の表面を被覆するためのもので、この実施形態では、図１、図４、図５に示すように取付基板６よりもやや大きいアルムニウム製の板体からなる。
【００６４】
被覆部材９は、保持部材３を嵌挿する保持部材嵌挿孔９１を備えている。そして、この被覆部材９は、被覆部材９と取付基板６との間にスペーサー９５を介在させるようにして被覆部材固定ボルト９４によって取付基板６の前面に固定されている。これにより、被覆部材９は、取付基板６の前面における保持部材３との対向部を除く部分を覆っている。
【００６５】
以上のように構成された壁取り付け椅子１は、次のようにして、例えば間柱１０１に保持された石膏ボードからなる壁部材１００に取り付けられる。
【００６６】
まず、図１に示すように取付基板６を支持ボルト挿通孔６２に挿通した支持ボルト９３によって間柱１０１に支持する。これにより、取付基板６を壁部材１００に仮に支持でき、取付基板６を手で持たなくてもよく、後述の壁部材１００への取付基板６の取付作業を容易に行うことができる。
【００６７】
その際、支持ボルト挿通孔６２が間柱１０１の長手方向と直交する左右方向に延びる長孔から構成されているため、間柱１０１に仮に支持した支持ボルト９３を支持ボルト挿通孔６２に対して移動させることで、取付基板６を間柱１０１の位置に拘束されずに壁部材１００の適宜な位置に配置できる。
【００６８】
次に、図４、図５に示すように、第１基板固定部材７を、回り止め保持用孔６１から入れていき、抜け止め軸７２が壁部材１００を貫通するとともに、回り止め保持用孔６１に第１基板固定部材７の回り止め部７１１が保持された状態にする。
【００６９】
その後、図７、図８に示すように、第２基板固定部材８を、第１基板固定部材７の第２基板固定部材受容孔７１２に先端側から入れていき、第２基板固定部材８の先端を第１基板固定部材７における抜け止め軸７２の被押圧部７２２に当てる。更に、工具で第１基板固定部材７を抜け止め軸７２側に押圧する。これにより、図８、図９に示すように、抜け止め軸７２の軸方向が第１基板固定部材本体７１の軸方向と略同方向を向いた軸同方向位置から第１基板固定部材本体７１の軸方向と略直交する方向を向いた軸直交方向位置まで回動する。
【００７０】
そして、抜け止め軸７２が軸直交方向位置まで回動すると、第２基板固定部材８の先端が抜け止め軸７２の螺合孔７２３に入り込む。この状態で、工具で第２基板固定部材８を回転操作することで、第２基板固定部材８の雄ネジ部８１が抜け止め軸７２の螺合孔７２３の内周面に雌ネジを刻設しながら螺合する。これにより、第２基板固定部材８が第１基板固定部材７における抜け止め軸７２に連結する。
【００７１】
螺合した第２基板固定部材８を更に回転操作することで、抜け止め軸７２が第２基板固定部材８の基端側に引き寄せられ、抜け止め軸７２が軸直交方向位置の状態で壁部材１００の裏面に当接する。これにより、抜け止め軸７２によって第１基板固定部材本体７１が壁部材１００から抜け止めされる。尚、図４、図５では、第２基板固定部材８が第１基板固定部材７の抜け止め軸７２に連結操作される直前における、回り止め保持用孔６１に第１基板固定部材７の回り止め部７１１が保持された状態を示しており、第２基板固定部材８を省略している。又、図９では、第２基板固定部材８と抜け止め軸７２との位置関係を表しており、第１基板固定部材本体７１を省略している。
【００７２】
このようにして、第１基板固定部材７と第２基板固定部材８とを用いることにより、取付基板６を壁部材１００に容易に、しかも確実に固定できる。
【００７３】
次に、被覆部材９を、図１に示すように被覆部材固定ボルト９４によって取付基板６の前面に固定する。これにより、取付基板６の前面における保持部材３との対向部を除く部分を覆い隠すことができ、外観的に優れたものにできる。
【００７４】
次に、被覆部材９の保持部材嵌挿孔９１に保持部材３を嵌挿させる。その状態で、保持部材固定ボルト挿通孔３３１ａ、３３１ｂに保持部材固定ボルト１２を挿通させて保持部材固定ボルト１２を取付基板６の保持部材固定ボルト用ネジ孔６３に螺合させて締め付ける。これにより、保持部材３を取付基板６に固定できる。
【００７５】
次に、回動軸２３を介して回動自在に連結された座板２１と座板保持部材２２とを有する椅子本体２における座板保持部材２２の後部側を、保持部材３の収納部３０に収納する。
【００７６】
この状態で、座板保持部材２２の本体固定ボルト挿通孔２２４ａと保持部材３の本体固定ボルト挿通孔３３２と取付基板６の本体固定ボルト用ネジ孔６４とが合致する。
【００７７】
又、座板保持部材２２の上当接部２２２ａと保持部材３の上受け部３１１とが当接するとともに、座板保持部材２２の下当接部２２３ａと保持部材３の下受け部３２１とが当接する。
【００７８】
そして、その状態で、本体固定ボルト１１を、本体固定ボルト挿通孔２２４ａ及び本体固定ボルト挿通孔３３２に挿通して本体固定ボルト用ネジ孔６４に螺合させて締め付ける。これにより、椅子本体２を、保持部材３及び取付基板６を介して壁部材１００に取り付けることができる。以上で、壁部材１００への壁取り付け椅子１の取り付けが完了する。
【００７９】
このようにして壁部材１００に取り付けられた壁取り付け椅子１は、使用しない場合は、座板２１の座面２１１が壁面と略平行に折り畳んで図４、図５に示す状態にされる。
【００８０】
一方、使用する場合（着座する場合）は、図４、図５に示す状態から座板２１を反時計方向に回動操作する。そして、座板２１が略９０°回動して座面２１１が壁面と略直角になると、図５に示すように座板２１の基端部が、座板保持部材２２の内面に当接して回動が止まる。この状態で、座板２１の座面２１１に着座可能状態になる。
【００８１】
以上のように構成された壁取り付け椅子１によれば、取付部材は、椅子本体２を保持する保持部材３と金属製板状体からなる取付基板６を備えているため、椅子本体２から保持部材３にかかる荷重を取付基板６の全面で壁部材１００にかけることができ、取付基板６が壁部材１００から外れ難いものにできる。従って、例えば座板２１を床面に支持する床支持板を設けなくても椅子本体２を壁部材１００から外れ難いものにでき、しかも、全体を嵩の小さい簡素化したものにできる。
【００８２】
また、取付基板６の壁取付面６５の面積が座面２１１の面積よりも大きくなるように形成されているため、着座者の全体重が座板２１から保持部材３を介して取付基板６にかかった場合でも、取付基板６が壁部材１００から、より外れ難いものにできる。
【００８３】
また、取付基板６は、支持ボルト挿通孔６２を備え、取付基板６を壁部材１００に取り付ける際に、支持ボルト挿通孔６２に挿通した支持ボルト９３で、石膏ボードに較べて強度の大きい間柱１０１に取付基板６を固定するため、取付基板６にかかる荷重が支持ボルト９３を介して間柱１０１にかかり、取付基板６が、より一層確実に、壁部材１００から外れ難いものになる。
【符号の説明】
【００８４】
１  壁取り付け椅子
２  椅子本体
３  保持部材（取付部材）
６  取付基板（取付部材）
７  第１基板固定部材（固定部材）
８  第２基板固定部材（固定部材）
９  被覆部材
１１  本体固定ボルト（固定部材）
１２  保持部材固定ボルト（固定部材）
２１  座板
１００  壁部材
１０１  間柱
２１１  座面
【図１】
0003203041.tif 000003
【図２】
0003203041.tif 000004
【図３】
0003203041.tif 000005
【図４】
0003203041.tif 000006
【図５】
0003203041.tif 000007
【図６】
0003203041.tif 000008
【図７】
0003203041.tif 000009
【図８】
0003203041.tif 000010
【図９】
0003203041.tif 000011